(57)【要約】【課題】各構築板材は一方挟込板及び他方挟込板により挟み込み状態に固定されることになり、このため、構築板材をきわめて容易に対面配置状に固定することができ、分解時においては、上記と同様にして、構築板材から組立用固定具を容易に取り外すことができ、組立式簡易立体庫を容易に分解することができ、保管の利便性を高めることができる。【解決手段】対面配置される一対の構築板材Ｗのうちの一方の構築板材の外面に当接可能な一方挟込板１と、他方の構築板材の外面に当接可能な他方挟込板２と、各構築板材の各端面部分に対面し、一方挟込板と他方挟込板とを各折線部を介して一体に連設する端面板４と、一方挟込板に折線部５を介して一体に連設され、一対の構築板材に形成された各挿通部Ｗ1に挿通可能な差込板６とを備えてなる。【選択図】図１
2007113299.tif 000002
【特許請求の範囲】
【請求項１】
対面配置される一対の構築板材のうちの一方の構築板材の外面に当接可能な一方挟込板と、他方の構築板材の外面に当接可能な他方挟込板と、該各構築板材の各端面部分に対面し、該一方挟込板と該他方挟込板とを各折線部を介して一体に連設する端面板と、該一方挟込板に折線部を介して一体に連設され、該一対の構築板材に形成された各挿通部に挿通可能な差込板とを備えてなり、上記他方挟込板に上記差込板が挿通される略スリット状の差込孔部を形成し、該差込孔部に係止凸部を形成し、上記差込板に該係止凸部に挿通係止可能な係止孔部を形成してなることを特徴とする組立用固定具。
【請求項２】
上記一方挟込板、上記他方挟込板、上記端面板及び上記差込板はそれぞれ一体に板紙材によりなることを特徴とする請求項１記載の組立用固定具。
【請求項３】
上記一対の構築板材は板紙材からなることを特徴とする請求項１又は２記載の組立用固定具。
【請求項４】
上記請求項１〜３のいずれか１項に記載の組立用固定具を上記一対の構築板材である支柱部材に用いてなることを特徴とする組立式簡易立体庫。
【発明の詳細な説明】
【技術分野】
【０００１】
本発明は、例えば、災害避難施設等における更衣室、授乳室、簡易トイレ室、化粧室、休息室等の各種用途に使用される簡易立体庫を組み立てる際に用いられる組立用固定具及びこれを用いた組立式簡易立体庫に関するものである。
【背景技術】
【０００２】
従来、この種の組立式簡易立体庫として、前面は開口し、上面、左右側面、背面を被う構造のものが知られている。
【特許文献１】特開平５−３１０１０号公報
【特許文献２】特開平５−２９５９０７号公報
【発明の開示】
【発明が解決しようとする課題】
【０００３】
しかしながらこれら従来構造の場合、組立て及び分解が厄介であり、災害避難施設における使用には不向きなことがあるという不都合を有している。
【課題を解決するための手段】
【０００４】
本発明はこれらの不都合を解決することを目的とするもので、本発明のうちで、請求項１記載の発明は、対面配置される一対の構築板材のうちの一方の構築板材の外面に当接可能な一方挟込板と、他方の構築板材の外面に当接可能な他方挟込板と、該各構築板材の各端面部分に対面し、該一方挟込板と該他方挟込板とを各折線部を介して一体に連設する端面板と、該一方挟込板に折線部を介して一体に連設され、該一対の構築板材に形成された各挿通部に挿通可能な差込板とを備えてなり、上記他方挟込板に上記差込板が挿通される略スリット状の差込孔部を形成し、該差込孔部に係止凸部を形成し、上記差込板に該係止凸部に挿通係止可能な係止孔部を形成してなることを特徴とする組立用固定具にある。
【０００５】
又、請求項２記載の発明は、上記一方挟込板、上記他方挟込板、上記端面板及び上記差込板はそれぞれ一体に板紙材によりなることを特徴とするものであり、又、請求項３記載の発明は、上記一対の構築板材は板紙材からなることを特徴とするものである。
【０００６】
又、請求項４記載の発明は、上記請求項１〜３のいずれか１項に記載の組立用固定具を上記一対の構築板材である支柱部材に用いてなることを特徴とする組立式簡易立体庫にある。
【発明の効果】
【０００７】
本発明は上述の如く、請求項１又は４記載の発明にあっては、組立時においては、組立用固定具の差込板をスリット孔状の各挿通部に挿通し、一方挟込板を折線部により折曲して、一方の構築板材の外面に当接し、端面板を折線部により折曲して対面配置される一対の構築板材の端面部分に対面し、他方挟込板を折線部を介して折曲して、他方の構築板材の外面に当接し、この状態において、この差込板を他方挟込板に形成された略スリット状の差込孔部に挿通し、この挿通により差込孔部に形成された係止凸部が差込板に形成された係止孔部に挿通して係止し、これにより各構築板材は一方挟込板及び他方挟込板により挟み込み状態に固定されることになり、このため、構築板材をきわめて容易に対面配置状に固定することができ、分解時においては、上記と同様にして、構築板材から組立用固定具を容易に取り外すことができ、組立式簡易立体庫を容易に分解することができ、保管の利便性を高めることができる。
【０００８】
又、請求項２記載の発明にあっては、上記一方挟込板、上記他方挟込板、上記端面板及び上記差込板はそれぞれ一体に板紙材によりなるから、軽量化を図ることができると共に環境に優しく、リサイクル化も容易となり、又、請求項３記載の発明にあっては、上記一対の構築板材は板紙材からなるので、組立式簡易立体庫の軽量化を図ることができると共に環境に優しく、リサイクル化も容易となり、使用の利便性を高めることができる。
【発明を実施するための最良の形態】
【０００９】
図１乃至図１６は本発明の実施の形態例を示し、この場合、図１５、図１６の如く、学校の体育館などの災害避難施設の屋内に設置され、更衣室兼授乳室として用いられる組立式簡易立体庫Ｔの支柱部材Ｋに適用したものである。
【００１０】
この場合、図７、図８、図９の如く、対面配置される一対の構築板材Ｗ・Ｗのうちの一方の構築板材Ｗの外面に当接可能な一方挟込板１と、他方の構築板材Ｗの外面に当接可能な他方挟込板２と、各構築板材Ｗ・Ｗの端面部分に対面し、すなわち、各構築板材Ｗ・Ｗの板厚ｔの和２ｔに略合う幅に形成され、一方挟込板１と他方挟込板２とを各折線部３・３を介して一体に連設する端面板４と、一方挟込板１に折線部５を介して一体に連設され、一対の構築板材Ｗ・Ｗに形成された溝状或いはスリット孔状の各挿通部Ｗ1・Ｗ1に挿通可能な差込板６とを備えてなり、上記他方挟込板２に上記差込板６が挿通される略スリット状の差込孔部７を形成し、この差込孔部７に係止凸部８を形成し、図９の如く、この係止凸部８により差込孔部７は中央部が略Ω状に内方に折れ曲がったスリット状に形成され、一方、上記差込板６に係止凸部８に挿通係止可能な係止孔部９を形成した構造の組立用固定具Ｍとなっている。
【００１１】
この場合、上記一方挟込板１、上記他方挟込板２、上記端面板４及び上記差込板６はそれぞれ一体に板紙材により製作され、又、この場合、上記一対の構築板材Ｗ・Ｗは板紙材からなり、その他の部材も板紙材により形成され、板紙製の組立式簡易立体庫Ｔとなっている。
【００１２】
又、この場合、図１５、図１６のＡ部分においては、図１０乃至図１４の如く、対面配置される構築板材Ｗ・Ｗが上下に配置され、この上側及び下側の構築板材Ｗ・Ｗ、Ｗ・Ｗに溝状の挿通部Ｗ1・Ｗ1を形成し、この下側に配置された構築板材Ｗ・Ｗのうちの一方の構築板材Ｗの両外面に板紙からなる補強板１０・１０を接着固定し、この補強板１０・１０の間に上側の構築板材Ｗ・Ｗを差し込むように構成している。
【００１３】
又、この場合、図１５、図１６のＢ部分においては、図１乃至図６の如く、対面配置される構築板材Ｗ・Ｗにスリット孔状の挿通部Ｗ1・Ｗ1を形成して構成している。
【００１４】
この実施の形態例は上記構成であるから、組立時においては、図１５、図１６のＢ部分において、図１乃至図６の如く、上記組立用固定具Ｍの差込板６をスリット孔状の各挿通部Ｗ1・Ｗ1に挿通し、一方挟込板１を折線部５により折曲して、一方の構築板材Ｗの外面に当接し、端面板４を折線部３により折曲して対面配置される一対の構築板材Ｗ・Ｗの端面部分に対面し、他方挟込板２を折線部３を介して折曲して、他方の構築板材Ｗの外面に当接し、この状態において、この差込板６を他方挟込板２に形成された略スリット状の差込孔部７に挿通し、この挿通により差込孔部７に形成された係止凸部８が差込板６に形成された係止孔部９に挿通して係止し、これにより各構築板材Ｗ・Ｗは一方挟込板１及び他方挟込板２により挟み込み状態に固定されることになり、又、図１５、図１６のＡ部分においては、図１０乃至図１４の如く、組立用固定具Ｍにより対面配置状に固定された上側の構築板材Ｗ・Ｗを同じく組立用固定具Ｍにより対面配置状に固定された下側の構築板材Ｗ・Ｗ上に積み重ね、組立用固定具Ｍの差込板６を上下の溝状の各挿通部Ｗ1・Ｗ1に挿通し、一方挟込板１を折線部５により折曲して、上下の一方の構築板材Ｗ・Ｗの外面に当接し、端面板４を折線部３により折曲して、対面配置される上下の各一対の構築板材Ｗ・Ｗの端面部分に対面し、他方挟込板２を折線部３を介して折曲して、上下の他方の構築板材Ｗ・Ｗの外面に当接し、この状態において、この差込板６を他方挟込板２に形成された略スリット状の差込孔部７に挿通し、この挿通により差込孔部７に形成された係止凸部８が差込板６に形成された係止孔部９に挿通して係止し、これにより上下の各構築板材Ｗ・Ｗ、Ｗ・Ｗは一方挟込板１及び他方挟込板２により挟み込み状態に固定されることになり、このため、構築板材Ｗ・Ｗをきわめて容易に対面配置状に固定することができ、この場合、構築部材Ｗ・Ｗよって側面Ｔ1を形成すると共に上部に板紙からなる屋根板材Ｔ2及び前面にカーテンＴ3を吊下し、組立式簡易立体庫Ｔを容易に組み立てることができ、又、分解時においては、上記と同様にして、構築板材Ｗ・Ｗから組立用固定具Ｍを容易に取り外すことができ、組立式簡易立体庫Ｔを容易に分解することができ、保管の利便性を高めることができる。
【００１５】
又、この場合、上記一方挟込板１、上記他方挟込板２、上記端面板４及び上記差込板６はそれぞれ一体に板紙材によりなるから、軽量化を図ることができると共に環境に優しく、リサイクル化も容易となり、又、この場合、上記一対の構築板材Ｗ・Ｗは板紙材からなるので、組立式簡易立体庫Ｔの軽量化を図ることができると共に環境に優しく、リサイクル化も容易となり、使用の利便性を高めることができる。
【００１６】
尚、本発明は上記実施の形態例に限られるものではなく、一方挟込板１、他方挟込板２、端面板４及び差込板６の形態等は適宜設計して変更され、又、板紙としては、段ボール、厚紙の表面に特殊のコーティングが施され、機械的強度の高い板紙、その他の板紙が用いられる。
【００１７】
以上、所期の目的を充分達成することができる。
【図面の簡単な説明】
【００１８】
【図１】本発明の実施の形態例の使用状態の部分斜視図である。
【図２】本発明の実施の形態例の部分分解斜視図である。
【図３】本発明の実施の形態例の部分平断面図である。
【図４】本発明の実施の形態例の部分縦断面図である。
【図５】本発明の実施の形態例の他の部分縦断面図である。
【図６】本発明の実施の形態例の部分側面図である。
【図７】本発明の実施の形態例の斜視図である。
【図８】本発明の実施の形態例の斜視図である。
【図９】本発明の実施の形態例の部分側面図である。
【図１０】本発明の実施の形態例の使用状態の部分斜視図である。
【図１１】本発明の実施の形態例の部分分解斜視図である。
【図１２】本発明の実施の形態例の部分平面図である。
【図１３】本発明の実施の形態例の部分縦断面図である。
【図１４】本発明の実施の形態例の部分側面図である。
【図１５】本発明の実施の形態例の全体斜視図である。
【図１６】本発明の実施の形態例の全体側面図である。
【符号の説明】
【００１９】
Ｔ    組立式簡易立体庫
Ｗ    構築板材
Ｗ1    挿通部
Ｍ    組立用固定具
１    一方挟込板
２    他方挟込板
３    折線部
４    端面板
５    折線部
６    差込板
７    差込孔部
８    係止凸部
９    係止孔部
【図１】
2007113299.tif 000003
【図２】
2007113299.tif 000004
【図３】
2007113299.tif 000005
【図４】
2007113299.tif 000006
【図５】
2007113299.tif 000007
【図６】
2007113299.tif 000008
【図７】
2007113299.tif 000009
【図８】
2007113299.tif 000010
【図９】
2007113299.tif 000011
【図１０】
2007113299.tif 000012
【図１１】
2007113299.tif 000013
【図１２】
2007113299.tif 000014
【図１３】
2007113299.tif 000015
【図１４】
2007113299.tif 000016
【図１５】
2007113299.tif 000017
【図１６】
2007113299.tif 000018